(57)【要約】【課題】複数の発光体から照射された光を集光し、大きさが限定的である、導光部の一方の端面に適切に入射させ、配管内の測定対象の湿り蒸気に適切に照射させ、湿り蒸気を透過または反射した光の強度または吸光度に基づいて湿り蒸気の乾き度を測定することにより、正確な乾き度を測定することができる乾き度測定装置及び乾き度測定方法を提供する。【解決手段】本発明に係る乾き度測定装置は、測定対象の湿り蒸気を透過または反射した複数の光の強度または吸光度に基づいて前記湿り蒸気の乾き度を測定する乾き度測定装置であって、各々が光を発する、複数の発光体を有する発光体アレイと、前記複数の発光体の各々により発せられた複数の光を集光する集光部と、集光された前記複数の光を入射する第１端面と入射された前記複数の光を前記湿り蒸気に対して射出する第２端面とを有する第１導光部と、を備える。【選択図】図１
2015127649.tif 000002
【特許請求の範囲】
【請求項１】
測定対象の湿り蒸気を透過または反射した複数の光の強度または吸光度に基づいて前記湿り蒸気の乾き度を測定する乾き度測定装置であって、
各々が光を発する、複数の発光体を有する発光体アレイと、
前記複数の発光体の各々により発せられた複数の光を集光する集光部と、
集光された前記複数の光を入射する第１端面と入射された前記複数の光を前記湿り蒸気に対して射出する第２端面とを有する第１導光部と、を備える、
乾き度測定装置。
【請求項２】
前記第１導光部が射出する前記複数の光を平行光になるように集束させる第１光集束部をさらに備える、
請求項１に記載の乾き度測定装置。
【請求項３】
湿り蒸気を透過または反射した複数の光を集束させる第２光集束部と、
前記第２光集束部により集束された前記複数の光を入射する第３端面と入射された前記複数の光を射出する第４端面とを有する第２導光部と、をさらに備える、
請求項１又は２に記載の乾き度測定装置。
【請求項４】
測定対象の湿り蒸気を透過または反射した複数の光の強度または吸光度に基づいて前記湿り蒸気の乾き度を測定する乾き度測定方法であって、
複数の光を集光することと、
集光された前記複数の光を入射し、入射された前記複数の光を前記湿り蒸気に対して射出することと、を含む、
乾き度測定方法。
【発明の詳細な説明】
【技術分野】
【０００１】
本発明は、乾き度測定装置及び乾き度測定方法に関する。
【背景技術】
【０００２】
水は沸点に達した後、水蒸気ガス（気相部分：飽和蒸気）と、水滴（液相部分：飽和水）とが混合した湿り蒸気となる。ここで、湿り蒸気に対する水蒸気ガスの重量比を、「乾き度」という。例えば、水蒸気ガスと水滴とが半分ずつ存在すれば、乾き度は０．５となる。また、水滴が存在せず、水蒸気ガスのみが存在する場合は、乾き度は１．０となる。熱交換器等において、湿り蒸気が保有する顕熱と潜熱とを有効に利用することや、水蒸気タービンにおいて、タービン翼の腐食を防止すること等の観点から、湿り蒸気の乾き度を１．０に近い状態にすることが望まれている。そのため、乾き度を測定する様々な方法が提案されている。
【０００３】
たとえば、特許文献１記載の発明は、乾き度を高速に測定するため、（ａ）湿り蒸気に光を照射する発光体と、（ｂ）湿り蒸気を透過した光を受光する受光素子と、（ｃ）湿り蒸気の温度又は圧力を測定する環境センサと、（ｄ）湿り蒸気を透過した光の強度と、湿り蒸気の乾き度と、の関係を、温度又は圧力毎に保存する関係記憶部と、（ｅ）受光素子による光の強度の測定値と、環境センサによる温度又は圧力の測定値と前記関係とに基づき、湿り蒸気の乾き度の値を特定する乾き度特定部とを備える乾き度測定装置に関する。
【０００４】
上記特許文献１に記載された発明では、一つの発光体から複数の波長を有する光を照射し、照射複数の波長のそれぞれにおける湿り蒸気を透過した光の強度の複数の測定値の大小関係に基づいて、湿り蒸気の乾き度を算出することが開示されている。
【先行技術文献】
【特許文献】
【０００５】
【特許文献１】特開２０１３−０９２４５７号公報
【発明の概要】
【発明が解決しようとする課題】
【０００６】
しかしながら、複数の発光体から照射された光を、導光路を用いず同一の光路に合せることは難しく、また、大きさが限定的である、光ファイバなどの導光部の一方の端面に適切に入射させ、配管内の測定対象の湿り蒸気に適切に照射させることが難しく、正確な乾き度を測定することが困難であるという問題があった。
【０００７】
そこで、本発明は、正確な乾き度を測定することができる乾き度測定装置及び乾き度測定方法を提供することを目的の一つとする。
【課題を解決するための手段】
【０００８】
上記課題を解決するために、本発明に係る乾き度測定装置は、測定対象の湿り蒸気を透過または反射した複数の光の強度または吸光度に基づいて前記湿り蒸気の乾き度を測定する乾き度測定装置であって、各々が光を発する、複数の発光体を有する発光体アレイと、前記複数の発光体の各々により発せられた複数の光を集光する集光部と、集光された前記複数の光を入射する第１端面と入射された前記複数の光を前記湿り蒸気に対して射出する第２端面とを有する第１導光部と、を備える。
【０００９】
また、上記課題を解決するために、本発明に係る乾き度測定方法は、測定対象の湿り蒸気を透過または反射した複数の光の強度または吸光度に基づいて前記湿り蒸気の乾き度を測定する乾き度測定方法であって、複数の光を集光することと、集光された前記複数の光を入射し、入射された前記複数の光を前記湿り蒸気に対して射出することと、を含む。
【発明の効果】
【００１０】
本発明によれば、複数の発光体から照射された光を集光し、大きさが限定的である、導光部の一方の端面に適切に入射させ、配管内の測定対象の湿り蒸気に適切に照射させ、湿り蒸気を透過または反射した光の強度または吸光度に基づいて湿り蒸気の乾き度を測定することにより、正確な乾き度を測定することができる。
【図面の簡単な説明】
【００１１】
【図１】本発明の実施形態に係る乾き度測定装置の模式図である。
【図２】本発明の実施形態に係る光入射部の模式図である。
【図３】本発明の実施形態に係る発光体から発せられる光が入射側光通過部に投射される場合の条件について説明した図である。
【図４】本発明の実施形態に係る受光部の模式図である。
【発明を実施するための形態】
【００１２】
以下、図面を参照して本発明の実施の形態を説明する。以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００１３】
（定義）
本明細書で使用する主たる用語を以下のとおりに定義する。
「蒸気」：各実施形態では、水蒸気のことを意味するが、気相部分と液相部分との二相状態となる物質の蒸気であればよく、水蒸気に限定されない。
「乾き度」：蒸気中の気相部分の重量割合のことをいう。乾き度[%]＝１００[%]−湿り度[%]の関係がある。
「湿り蒸気」：乾き度χが０−１００[%]の蒸気をいう。
「飽和蒸気」：湿り蒸気の気相部分をいう。乾き飽和蒸気(飽和乾き蒸気)ともいう。
「飽和水」：湿り蒸気の液相部分をいう。
「光の強度」（光強度）：光（電磁波）の強さを表す物理量をいい、その称呼や単位に限定はない。例えば、放射強度、光度、光量子束密度など、それぞれ単位が異なるが相互に換算可能な物理量である。
【００１４】
「吸光度」：光が湿り蒸気中を通過した際に光の強度がどの程度弱まるかを示す無次元量であり、光学密度ともいう。吸光度といっても光の吸収のみならず、散乱や反射により光の強度が弱まる場合も含む。
【００１５】
（構成）
図１に、本実施形態における乾き度測定装置１の構成を示す。図１に示すように、本実施形態に係る乾き度測定装置１は、例示的に、光入射部１１、受光部１３、入射側導光部２１（第１導光部）、射出側導光部２２（第２導光部）、入射側コリメータレンズ４２（第１光集束部）、射出側コリメータレンズ４４（第２光集束部）、及びコンピュータ装置１００を備えて構成される。また、コンピュータ装置１００は、機能ブロックとして、乾き度測定部２００を備えて構成される。
【００１６】
図２に、本実施形態に係る光入射部１１の構成を示す。図２に示すように、光入射部１１は、例示的に、発光体支持部３０、発光体３２ａ、３２ｂ、及び３２ｃ、並びに集光レンズ４０（集光部）を備えて構成される。
【００１７】
図２に示す発光体３２ａ、３２ｂ、及び３２ｃは、各々が単一の波長を有する光を発する発光手段である。たとえば、発光体３２ａ、３２ｂ、及び３２ｃは発光ダイオードで構成されており、発光体３２ａは湿り蒸気の液相部分には吸収されず、気相部分に吸収されるような波長を有する光を発し、発光体３２ｂは湿り蒸気の気相部分には吸収されず、液相部分に吸収されるような波長を有する光を発し、発光体３２ｃは湿り蒸気の気相部分及び液相部分に吸収されないような波長を有する光（参照用）を発するように構成されている。
【００１８】
また、湿り蒸気の気相部分には吸収されず、液相部分に吸収されるような光の波長は、クラスタ（水素結合を介して結合する水分子同士の結合体）における水分子同士が形成した水素結合の数と相関するよう、設定される。例えば、発光体３２ａ、３２ｂ、及び３２ｃのいずれかが発する光の波長は、水素結合数が０の場合の水分子の吸光ピークが表れる１８８０ｎｍであってもよく、水素結合数が１の場合の水分子の吸光ピークが表れる１９１０ｎｍであってもよい。ただし、発光体３２ａ、３２ｂ、及び３２ｃのいずれかが発する光の波長は、水に吸収される波長帯域内であれば、水分子の吸光ピーク波長と異なっていてもよい。例えば、発光体３２ａ、３２ｂ、及び３２ｃのいずれかが発する光の波長は、１８８０乃至１９１０ｎｍの間であってもよい。
【００１９】
なお、発光体３２ａ、３２ｂ、及び３２ｃとしては、スーパールミネッセントダイオード、半導体レーザ、レーザ発振器、蛍光放電管、低圧水銀灯、キセノンランプ、及び電球等が使用可能である。
【００２０】
また、発光体３２ａ、３２ｂ、及び３２ｃのそれぞれは同一種類のものである必要はなく、発光体３２ａは発光ダイオード、発光体３２ｂはスーパールミネッセントダイオード、発光体３２ａは電球というように構成することも可能である。
【００２１】
図２に示す集光レンズ４０は、発光体３２ａ、３２ｂ、及び３２ｃから発せられた光を適切に入射側導光部２１に導くように集光する手段である。具体的に、集光レンズ４０は、光経路Ｌａに示すように、発光体３２ａから発せられる光を入射側導光部２１の入射開口Ａ１に導き、光経路Ｌｂに示すように、発光体３２ｂから発せられる光を入射側導光部２１の入射開口Ａ１に導き、光経路Ｌｃに示すように、発光体３２ｃから発せられる光を入射側導光部２１の入射開口Ａ１に導く。このように、集光レンズ４０により、入射側導光部２１の端面（入射開口Ａ１）は大きさが制限されている（例えば、数μｍ）にも関わらず、発光体３２ａ、３２ｂ、及び３２ｃから発せられた光を適切に入射側導光部２１に導くことができる。
【００２２】
なお、集光レンズ４０は、光を集光する機能を有していれば特に制限はなく、例えば、凸型形状、ドーム型形状、円形形状のレンズ等も使用可能である。
【００２３】
図３に、本発明の実施形態に係る発光体３２ａ、３２ｂ、及び３２ｃから発せられる光が入射側導光部２１に投射される場合の条件について説明した図を示す。図３に示すように、発光体３２から発せられる光経路Ｌの光が集光レンズ４０により集光されて入射側導光部２１に導かれている。また、図３に示すように、例えば、物体（発光体３２）が焦点Ｆの外側に設置されている場合は、物面から主点Ｏまでの距離ｆ1、主点Ｏから像面までの距離ｆ2、物体高ａ、及び像高ｂの関係は、以下のような関係式（１）で示すことができる。
（ａ／ｆ1）＝（ｂ／ｆ2）  …（１）
さらに、図３に示すように、発光体３２から発せられる光経路Ｌの光が集光レンズ４０により集光されて、適切に入射側導光部２１に導かれるためには、物面から主点Ｏまでの距離ｆ1、主点Ｏから像面までの距離ｆ2、物体高ａ、像高ｂ、及び入射側導光部２１の半径Ｘが以下のような関係であるとよい。すなわち、像高ｂが入射側導光部２１の半径Ｘと同じか、より小さいという関係であると、発光体３２から発せられる光がより適切に入射側導光部２１に導かれる。ここで、上記関係は、以下のような関係式（２）で定義される。
Ｘ≧ｂ＝（ａ／ｆ1）・ｆ2  …（２）
したがって、上記関係式（２）を満たすように、発光体３２ａ、３２ｂ、及び３２ｃは設置される。
【００２４】
なお、上記関係式（２）で示される、発光体３２ａ、３２ｂ、及び３２ｃから発せられる光がより適切に入射側導光部２１に導かれるための関係は、あくまで一例であって、発光体３２ａ、３２ｂ、及び３２ｃから発せられる光が適切に入射側導光部２１に導かれるような関係であれば特に制限はなく、上記で説明したこれらの関係を満たすように、発光体３２ａ、３２ｂ、及び３２ｃを設置することができる。
【００２５】
図１に戻り、配管２０は、測定対象となる湿り蒸気が流通する配管である。入射側コリメータレンズ４２は、入射側導光部２１と接続されている。また、入射側コリメータレンズ４２は、入射側導光部２１を伝播した複数の光について、複数の光が発散するのを防止し、複数の光が測定対象の湿り蒸気が流れる配管２０に適切に入射するために、複数の光を平行光になるように集束させる。また、透過型のガラス窓５０は、入射側コリメータレンズ４２により集束された複数の光を光経路Ｌに沿って配管２０内に射出する入射窓である。
【００２６】
射出側コリメータレンズ４４は、配管２０内部の湿り蒸気を透過又は反射した複数の光が、配管２０に設置されている透過型のガラス窓５２を介して照射される際に、該複数の光が発散しないように集束させる。
【００２７】
なお、入射側コリメータレンズ４２及び射出側コリメータレンズ４４は、複数の光を集束させ、平行光となるようにできるものであれば、特に制限はなく、平行光を得られるように収差補正されたあらゆるレンズを使用可能である。
【００２８】
射出側導光部２２は、射出側コリメータレンズ４４と接続されている。また、射出側導光部２２は、射出側コリメータレンズ４４により集束された複数の光を伝播させ、光経路Ｌに沿って受光部１３に進入させることが可能なように構成されている。また、射出側導光部２２の端部は、配管２０の径方向での入射側導光部２１の端部と対向している。
【００２９】
なお、入射側導光部２１及び射出側導光部２２は、ポリメタクリル酸メチル樹脂（ＰＭＭＡ：Ｐｏｌｙ（ｍｅｔｈｙｌ  ｍｅｔｈａｃｒｙｌａｔｅ））からなるプラスチック光ファイバ、及び石英ガラスからなるガラス光ファイバ等が使用可能であるが、複数の光を同一光路で伝搬可能であれば、これに限定されない。また、複数の光を完全同一光路で伝搬可能でなければいけないわけではなく、湿り蒸気の乾き度を正確に測定するために、湿り蒸気を透過又は反射した複数の光の強度又は吸光度を正確に計測できる程度に同一光路であればよい。
【００３０】
図４に、本発明の実施形態に係る受光部１３の構成を示す。図４に示すように、受光部１３は、機能ブロックとして、計測部６０及び信号生成部６２を備えて構成される。
【００３１】
計測部６０は、配管２０内の湿り蒸気を透過又は反射した光を受けて、光の強度Ｉ及び／又は吸光度Ａを計測する計測手段である。たとえば、計測部６０としては、フォトダイオード、フォトトランジスタ等の光電変換素子を使用可能である。
【００３２】
信号生成部６２は、湿り蒸気を透過又は反射した光の強度Ｉ又は吸光度Ａに応じた信号を生成する手段である。具体的には、信号生成部６２は、湿り蒸気を透過又は反射した光の強度Ｉに応じた光強度信号Ｓｄを生成し、コンピュータ装置１００に出力する。また、受光部１３として、分光光度計などの光の強度及び／又は吸光度に対応する出力が得られる光学的計測機器を適用することも可能である。この場合、信号生成部６２は、湿り蒸気を透過又は反射した光の吸光度に応じた吸光度信号Ｓａを生成し、コンピュータ装置１００に出力する。
【００３３】
具体的に、分光光度計は、湿り蒸気を透過又は反射する光の強度Ｉに基づいて、吸光度Ａを演算し、吸光度信号Ｓａとして出力する。ここで、吸光度Ａは、入射光強度をＩ0、受光した光の強度をＩとすると、式（３）のように定義される。
吸光度Ａ＝−ｌｏｇ10（Ｉ／Ｉ0）  …（３）
以上より、入射光強度をＩ0及び湿り蒸気を透過する光の強度Ｉを計測できれば、一義的に吸光度Ａが特定される。
【００３４】
なお、コンピュータ装置１００が光強度信号Ｓｄを入力し、式（３）に基づいて吸光度Ａを計算するように構成してもよい。
【００３５】
図１に戻り、上述した構成要素のうち、乾き度測定部２００は、所定のソフトウェアプログラムをコンピュータ装置１００が実行することにより機能的に実現される機能ブロックである。また、コンピュータ装置１００には、関係記憶部（不図示）を含むデータ記憶装置（不図示）が接続されている。関係記憶部は、例えば、予め取得された、受光部１３による受光強度Ｉと、湿り蒸気の乾き度と、の関係を記憶する。受光強度Ｉと、乾き度と、の関係は、式として保存されてもよいし、表として保存されてもよい。
【００３６】
なお、関係記憶部は、受光部１３による受光強度（光の強度Ｉ）と、湿り蒸気の乾き度と、の関係を、環境センサ（不図示）により検出された湿り蒸気の温度、圧力、流速及び流量の群から選ばれる一又は二以上ごとに記憶するように構成されていてもよい。
【００３７】
受光部１３による受光強度Ｉと、湿り蒸気の乾き度と、の関係は、例えば、ボイラ等で湿り蒸気を加熱しながら、従来の乾き度計で湿り蒸気の乾き度を測定し、あわせて湿り蒸気を透過した光の強度Ｉを測定することによって、予め取得することが可能である。従来、種々の乾き度計があるが、関係を取得する際には、それらのいずれかを単独で用いても、組み合わせて用いてもよい。
【００３８】
乾き度測定部２００は、例えば、受光部１３から、配管２０内部の湿り蒸気を透過した光の強度Ｉに応じた光強度信号Ｓｄを受信する。また、乾き度測定部２００は、環境センサから、配管２０内部の湿り蒸気の温度、圧力、流速及び流量の群から選ばれる一又は二以上の検出値を受信する。さらに乾き度測定部２００は、関係記憶部から、湿り蒸気の温度、圧力、流速及び流量の群から選ばれる一又は二以上の検出値に対応する温度、圧力、流速及び流量の群から選ばれる一又は二以上の条件下の、受光部１３による受光強度と、湿り蒸気の乾き度と、の関係を読み出す。
【００３９】
ここで、乾き度測定部２００は、温度、圧力、流速及び流量の群から選ばれる一又は二以上の検出値に一致する温度、圧力、流速及び流量の群から選ばれる一又は二以上の条件下の関係が関係記憶部に保存されている場合は、温度、圧力、流速及び流量の群から選ばれる一又は二以上の検出値に一致する温度、圧力、流速及び流量の群から選ばれる一又は二以上の条件下の関係を関係記憶部から読み出す。また、乾き度測定部２００は、例えば、温度、圧力、流速及び流量の群から選ばれる一又は二以上の検出値に一致する温度、圧力、流速及び流量の群から選ばれる一又は二以上の条件下の関係が関係記憶部に保存されていない場合は、温度、圧力、流速及び流量の群から選ばれる一又は二以上の検出値に最も近似する温度、圧力、流速及び流量の群から選ばれる一又は二以上の条件下の関係を関係記憶部から読み出す。
【００４０】
乾き度測定部２００は、読み出した関係と、受光強度Ｉの計測値と、に基づいて、湿り蒸気の乾き度の値を特定する。例えば、関係が、受光強度Ｉを独立変数とし、乾き度を従属変数とする式で表現されている場合、乾き度測定部２００は、式の受光強度Ｉの独立変数に、受光強度Ｉの計測値を代入して、配管２０内部の測定対象の湿り蒸気の乾き度の値を算出する。
【００４１】
なお、関係記憶部は、湿り蒸気による吸光度Ａと、湿り蒸気の乾き度と、の関係を保存していてもよい。この場合、乾き度測定部２００は、上記の式（３）に示すように、発光体３２ａ、３２ｂ、３２ｃの発光強度Ｉ0と、受光部１３による受光強度Ｉと、から、測定対象の湿り蒸気による吸光度Ａの計測値を算出し、吸光度Ａと乾き度の関係と、吸光度Ａの測定値と、に基づいて、測定対象の湿り蒸気の乾き度の値を特定すればよい。
【００４２】
また、配管２０の内部の湿り蒸気の乾き度と、湿り蒸気を透過した光強度Ｉと、の相関の態様は、湿り蒸気内の光透過体積によっても変化し得る。例えば、光透過体積の変化の要因としては、配管径や発光体の面積並びに受光素子の面積などが挙げられる。したがって、関係記憶部は、湿り蒸気の光透過体積毎に、湿り蒸気の乾き度と、湿り蒸気を透過した光強度Ｉと、の相関を保存してもよい。この場合、乾き度測定部２００は、関係記憶部から、湿り蒸気の温度、圧力、流速及び流量の群から選ばれる一又は二以上の検出値、並びに測定対象の湿り蒸気の光透過体積の値に対応する、受光強度Ｉと、乾き度と、の関係を読み出せばよい。
【００４３】
なお、乾き度測定部２００は、光の強度Ｉ又は吸収度Ａに基づいて乾き度を測定する過程において、飽和蒸気の量や飽和水の量も求めることができるように構成されていてもよい。
【００４４】
（動作）
次に本実施形態の動作を説明する。
まず、図２に示すように、湿り蒸気が配管２０の内部を流れている状態で湿り蒸気の乾き度を測定する場合、光入射部１１の発光体３２ａ、３２ｂ、及び３２ｃは光を発する。次に、光入射部１１の集光レンズ４０（集光部）は、発せられた複数の光を適切に入射側導光部２１に導くように集光する。次に、集光レンズ４０により集光された光は、入射側導光部２１（第１導光部）により配管２０に導光される。
【００４５】
次に、図１に示すように、入射側導光部２１を同一光路で導光された複数の光は、入射側コリメータレンズ４２（第１光集束部）により平行光になるように集束され、透過型のガラス窓５０を介して、配管２０に進入する（光経路Ｌ）。
【００４６】
次に、配管２０に進入した複数の光は、測定対象の湿り蒸気を透過又は反射する。次に、配管２０内部の湿り蒸気を透過又は反射した複数の光は、配管２０に設置されている透過型のガラス窓５２を介して配管２０の外に射出される。そして、複数の光が配管２０の外側に射出された後、射出側コリメータレンズ４４（第２光集束部）により、該複数の光が発散しないように集束される。
【００４７】
次に、射出側導光部２２（第２導光部）は、射出側コリメータレンズ４４により集束された複数の光を同一光路となるように導光させ、光経路Ｌに沿って受光部１３に進入させる。
【００４８】
次に、図４に示すように、受光部１３の計測部６０は、配管２０内の湿り蒸気を透過又は反射した光を受けて、光の強度Ｉ及び／又は吸光度Ａを計測する。次に、信号生成部６２は、湿り蒸気を透過又は反射した光の強度Ｉに応じた光強度信号Ｓｄを生成し、また、湿り蒸気を透過又は反射した光の吸光度Ａに応じた吸光度信号Ｓａを生成する。
【００４９】
次に、図１に戻り、受光部１３は、湿り蒸気を透過又は反射した光の強度Ｉに対応した光強度信号Ｓｄをコンピュータ装置１００に出力する。また、受光部１２は、湿り蒸気を透過又は反射した光の吸光度Ａに対応した吸光度信号Ｓａをコンピュータ装置１００に出力する。
【００５０】
次いで、乾き度測定部２００は、温度、圧力、流速及び流量の群から選ばれる一又は二以上の検出値に一致（又は近似）する温度、圧力、流速及び流量の群から選ばれる一又は二以上の条件下の受光強度Ｉと、湿り蒸気の乾き度と、の関係を関係記憶部から読み出す。読み出した関係と、受光強度Ｉの計測値と、に基づいて、湿り蒸気の乾き度を測定する。
【００５１】
（効果）
以上説明した本実施形態によれば、複数の発光体から照射された光を集光し、大きさが限定的である、導光部の一方の端面に適切に入射させ、配管内の測定対象の湿り蒸気に適切に照射させ、湿り蒸気を透過または反射した光の強度または吸光度に基づいて湿り蒸気の乾き度を測定することにより、正確な乾き度を測定することができる。
【００５２】
（他の実施形態）
上記に説明した実施形態は、あくまでも例示であり、上記に明示しない種々の変形や技術の適用を排除する意図はない。即ち、本発明は、その趣旨を逸脱しない範囲で種々変形して実施することができる。
【符号の説明】
【００５３】
１    乾き度測定装置
１１    光入射部
１３    受光部
２０    配管
２１    入射側導光部
２２    射出側導光部
３２、３２ａ、３２ｂ、３２ｃ    発光体
４０    集光レンズ
４２    入射側コリメータレンズ
４４    射出側コリメータレンズ
１００    コンピュータ装置
２００    乾き度測定部
【図１】
2015127649.tif 000003
【図２】
2015127649.tif 000004
【図３】
2015127649.tif 000005
【図４】
2015127649.tif 000006